(57)【特許請求の範囲】
【請求項１】
複数個の電池を整列して挟持する一対の板状の支持体を有し、前記支持体の一端辺あるいは両端辺に突起を相対する支持体に向けて設け、この一対の支持体を相対する前記突起同士を結合して前記一対の支持体を一体として筐体とし、前記筐体の一方の側面に凸状部を、他方の側面に凹状部を設け、前記筐体の内面で構成される空間を備えたことを特徴とする電池保持装置。
【請求項２】
複数個の筐体側面の凸状部と隣接する他の筐体の側面の凹状部を互いに嵌着し、組み合わせて積上げ、これら筐体側面が接合して繋がった筐体内面で構成される空間により風胴状の通風路を形成したことを特徴とする請求項１記載の電池保持装置。
【請求項３】
筐体の一方の側面から他方の側面にかけて貫通する取付け穴を設け、前記取付け穴を介して隣接する筐体を順次連結して、複数個の筐体を一体に固着したことを特徴とする請求項１記載の電池保持装置。
【発明の詳細な説明】
【０００１】
【発明の属する技術分野】
本発明は、多数個の電池を収納保持し、これらの電池の冷却や暖機等の温度制御をするに適した電池保持装置の構造に関するものである。
【０００２】
【従来の技術】
一般的に電池を機器に搭載し、充放電サイクルを効率よく行うためには、電池をある温度範囲内に維持させることが要望される。この温度管理を実現し、電池性能と寿命を確保するために、電池間に適当な隙間を設けて通風し、冷却や暖機等の温度制御に適した電池保持装置が必要になる。
【０００３】
従来の電池保持装置の構造は、特開平１０−２７０００６号公報に記載されたものが知られている。その電池保持装置の構造を、分解斜面図の図７により示す。
【０００４】
各単電池を６個直列に繋いだ電池モジュールを２１本並列に配置した電池保持装置になっている。図中、８１はケース本体、８２は第１エンドプレート、８３は第２エンドプレート、８４は冷却フィンプレート、８５は防振ゴムシートであり、ケース本体８１は、上下面が開放された直方体のボックス形状に形成された樹脂の一体成型品である。ケース本体８１の左右の端壁８６および隔壁８７と冷却フィンプレート８４には、同一対応位置に電池モジュール８８を挿通するための挿通穴８９，９０，９１が水平方向３列、垂直方向７列の計２１個設けられている。挿通穴８９，９０，９１は縦横等ピッチで設けられ、かつ電池モジュール８８の外形より大きい径を有するように形成されている。この挿通穴８９，９０，９１に電池モジュール８８が挿通され電池保持装置が構成される。ケース本体８１の一端部には第１エンドプレート８２が固定されており、また、他端部には第２エンドプレート８３が固定されている。第１エンドプレート８２は、樹脂板で構成されると共にパスバー９２がインサート成形によって樹脂板に埋設固定されている。パスバー９２は、ボルト９３を締結することによって電池モジュール８８のプラス電極端の四角形ナットまたはマイナス電極端の六角ナットに電気的かつ機械的に結合される。第２エンドプレート８３も第１エンドプレート８２と同様に、樹脂板で構成されると共にパスバー（図示せず）がインサート成形によって樹脂板に埋設固定されており、パスバー９２は、ボルト９３を締結することによって電池モジュール８８のプラス電極端の四角形ナットまたはマイナス電極端の六角ナットに電気的かつ機械的に結合される。このように、電池保持装置に並列配置された２１本の電池モジュール８８は、第１エンドプレート８２のパスバー９２および第２エンドプレート８３のパスバー（図示せず）によって、電気的に直列に接続される。
【０００５】
【発明が解決しようとする課題】
しかしながら上記の従来例の構成では、ケース本体８１以外に第１，第２エンドプレート８２，８３、冷却フィンプレート８４、防振ゴムシート８５などの多くの部品を必要とし、第１，第２エンドプレート８２，８３自身もパスバーが埋設されていて内部構成が複雑であり、そのため組立工法や部品加工が煩雑で、きわめて難しい組立作業となっていた。
【０００６】
本発明は上記従来例の問題点を解決するもので、電池保持装置の構造を単純化し、かつ電池の冷却や暖機機能を維持できる、安価にして組み立てやすい電池保持装置を提供することを目的とする。
【０００７】
【課題を解決するための手段】
上記目的を達成するために本発明の請求項１記載に係る電池保持装置は、複数個の電池を整列して挟持する一対の板状の支持体を有し、前記支持体の一端辺あるいは両端辺に突起を相対する支持体に向けて設け、この一対の支持体を相対する突起同士を結合して前記一対の支持体を一体として筐体とし、前記筐体の内面で構成される空間を備えることとした。
【０００８】
また、請求項２ならびに３記載に係る発明では、請求項１記載に係る発明の筐体の一方の側面に凸状部を、他方の側面に凹状部を設けて、複数個の前記筐体側面の凸状部と隣接する他の筐体の側面の凹状部を互いに嵌着し、組み合わせて積上げ、これら筐体側面が接合して繋がった筐体内面で構成される空間により風胴状の通風路を形成したものである。
【０００９】
さらに、請求項４記載に係る発明では、請求項１記載に係る発明の筐体の一方の側面から他方の側面にかけて貫通する取付け穴を設け、前記取付け穴を介して隣接する筐体を順次連結して、複数個の筐体を一体に固着できる構成とした。
【００１０】
これらの構成によって、電池の保持装置の構造を単純化し、かつ電池への冷却や暖機機能を維持向上させると共に安価にして、組み立てやすくする手段とした。
【００１１】
【発明の実施の形態】
本発明の目的は各請求項に記載した構成を実施の形態として達成することができる。すなわち本発明の請求項１に記載の発明は、複数個の電池を整列して挟持する一対の板状の支持体を有し、前記支持体の一端辺あるいは両端辺に突起を相対する支持体に向けて設け、この一対の支持体を相対する突起同士を結合して前記一対の支持体を一体として筐体とし、前記筐体の内面で構成される空間を備えているので、電池を保持する筐体が簡単になり、安価な構成にできる。
【００１２】
また、請求項２に記載の発明は、筐体の一方の側面に凸状部を、他方の側面に凹状部を設けているので、筐体相互の接合，連結が確実にできる。
【００１３】
また、請求項３に記載の発明は、複数個の筐体側面の凸状部と隣接する他の側面の凹状部を互いに嵌着し、組み合わせて積上げ、これら筐体側面が接合して繋がった筐体の内面で構成される空間により風胴状の通風路を形成しているので、電池の冷却や暖機の流路をこの空間部に確保することができる。
【００１４】
また、請求項４に記載の発明は、筐体の一方の側面から他方の側面にかけて貫通する取付け穴を設け、前記取付け穴で隣接する筐体を順次連結しているので、簡単に複数個の筐体を一体化して固着できる。
【００１５】
以下に、図面を用いて具体的な本発明の一実施の形態を詳述する。
【００１６】
図１は本発明の電池保持装置を構成する１モジュールＡの外観斜視図で、図２はこの基本構成部品の一対の筐体の分解斜視図を示す。図３は前記１モジュールＡの断面を示す。
【００１７】
複数個の電池１を整列して挟持する一対の板状の支持体２，３と、前記支持体２，３の少なくとも一端辺２ａ，３ａにリブ状の突起４，５を互いに内側に向けて設け、この一対の支持体２，３の一方の側面６，７の形状をコの字型にして筐体８，９の内面で構成される空間１０を形成している。同様に支持体２，３の他の一端辺２ｂ，３ｂにリブ状の突起（図示せず）を互いに内側に向けて設けた場合には、この一対の支持体２，３の一方の側面６，７の形状はロの字型をした筐体８，９となり、この筐体８，９の内面で構成される空間１０は１モジュール単独で風胴を形成する。本実施例では、一対の支持体２，３の一方の側面６，７の形状をコの字型にしたものであり、図４，５に示すように、一方のモジュールＢを反転させて、この２つのモジュールＡ，Ｂを一対として、これらを対向させて風胴を形成させている。
【００１８】
前記筐体８，９の一方の側面６，７に凸状部１１，１２を、他方の側面１３，１４に凹状部１５，１６を設けているので、筐体相互の接合，連結が確実にできる。本実施例の場合、前記複数の電池１は少なくとも４個以上が２列に重ね合わされており、第１の列１７に対して第２の列１８を半ピッチずらして俵積み状に配設している。これによって、前記した支持体２，３の一端辺２ａ，３ａとは逆の一端辺２ｂ，３ｂは、段付き端辺として上半分には凸状部１９，２０を、下半分には凹状部２１，２２を設けている。この凸状部１９，２０と凹状部２１，２２は、この辺に関して、上下を逆転させて嵌合し、組み立てできるように構成している。図４は、その嵌着させる状態を示す。
【００１９】
図６で示すように、複数個のモジュールＡ，Ｂ，Ｃ…を結合した場合、前記筐体側面の凸状部と他の側面の凹状部を互いに嵌着し、組み合わせて積上げ、これら筐体側面が接合して繋がった筐体の内面で構成される空間２３，２４は、１つの風胴状の通風路を形成するので、電池の冷却や暖機の流路としてこの空間部を確保できる。
【００２０】
複数のモジュールを組み合わせた場合、全体を固定するために、前記筐体８，９のコーナー部に取付け穴２５，２６を一方の側面６，７から他方の側面１３，１４にかけて貫通する穴を設け、前記取付け穴２５，２６を介して隣接する筐体を順次串刺しにする通しボルト２７を挿入して、簡単に複数個の筐体を一体化して固着できる。このとき、個々のモジュールがばらけないように固定板２８を当てて取り付ける。
【００２１】
【発明の効果】
以上のように本発明によれば、複数個の電池を整列して挟持する一対の板状の支持体を有し、前記支持体の一端辺または両端辺に突起を相対する支持体に向けて設け、この一対の支持体を相対する突起同士を結合して前記一対の支持体を一体として筐体とし、前記筐体の内面で構成される空間を備えているので、構成する部品点数が少なくなり、組み立て工数が削減できる。
【００２２】
また、筐体の一方の側面に凸状部を、他方の側面に凹状部を設けた場合には、モジュールを組み立てる際、積み木状に置くだけで位置決めができて、きわめて組み立てがしやすい。
【００２３】
また、複数個のモジュールの筐体側面の凸状部と隣接する他の筐体の側面の凹状部を互いに嵌着し、組み立て積上げることによって、これら筐体側面が接合して繋がった筐体内面で構成される空間により風胴状の通風路を形成することができるので、電池保持装置の構造が単純化し、かつ電池の冷却や暖機機能を構築できて、安価にして組み立てがしやすい装置となる。
【００２４】
また、モジュールを構成する筐体の一方の側面から他方の側面にかけて貫通する取付け穴を設けた場合には、前記取付け穴を介して隣接する筐体を順次串刺しにする通しボルトを挿入して、簡単に複数個の筐体を一体化して固着できるので、部品点数が少なく、内部構成も簡単であり、きわめて組立てやすくなった。
【図面の簡単な説明】
【図１】本発明のモジュールの外観斜視図
【図２】同筐体の分解斜視図
【図３】同モジュールの断面図
【図４】同モジュールの接合を示す斜視図
【図５】同モジュールを反転して接合する状態を示す斜視図
【図６】２列５段構成のモジュールを組み上げた状態の分解斜視図
【図７】従来の組電池構造の分解斜視図
【符号の説明】
１  電池
２，３  支持体
４，５  突起
６，７  一方の側面
８，９  筐体
１０，２３，２４  空間
１１，１２  凸状部
１３，１４  他方の側面
１５，１６  凹状部
２５，２６  取付け穴
【図１】
0004547741.tif 000002
【図２】
0004547741.tif 000003
【図３】
0004547741.tif 000004
【図４】
0004547741.tif 000005
【図５】
0004547741.tif 000006
【図６】
0004547741.tif 000007
【図７】
0004547741.tif 000008